(57)【要約】      （修正有）【課題】冷却原子周波数標準器のためのシステム及び方法を提供する。【解決手段】冷却原子マイクロ波周波数標準器は、真空セルを備え、真空セル４００は、第１開口端部と第２開口端部とを有する中空の中央シリンダ４０４と、第１開口端部に接続された第１端部４０２と、第２開口端部に接続された第２端部４０６と、を備える。第１端部、中央シリンダ、及び、第２端部は、原子を含む中空容積を取り囲み、第１端部及び第２端部は、光が中空容積に入ることを許容するようになっている。冷却原子マイクロ波周波数標準器は、中央シリンダを取り囲む円筒対称の共鳴装置を備え、共鳴装置は、中空容積の内部に原子の共鳴周波数のマイクロ波フィールドを生成する。【選択図】図４
2015023572.tif 000002
【特許請求の範囲】
【請求項１】
冷却原子マイクロ波周波数標準器であって、
真空セル（１００）を備え、
前記真空セル（１００）は、
中空の中央シリンダ（１０４）であって、第１開口端部と第２開口端部とを有する、中央シリンダ（１０４）と、
前記第１開口端部に接続された第１端部（１０２）と、
前記第２開口端部に接続された第２端部（１０６）と、を備え、
前記第１端部（１０２）、前記中央シリンダ（１０４）、及び、前記第２端部（１０６）は、原子を含む中空容積（１０８）を取り囲み、前記第１端部（１０２）及び前記第２端部（１０６）は、光が前記中空容積（１０８）に入ることを許容するようになっており、円筒対称の共鳴装置（２００）は、前記中央シリンダ（１０４）を取り囲み、前記共鳴装置（２００）は、前記中空容積（１０８）の内部に前記原子の共鳴周波数のマイクロ波フィールドを生成する、
冷却原子マイクロ波周波数標準器。
【請求項２】
周波数標準器の組み立て方法であって、
原子を密封収容する中空容積（１０８）を備える真空セル（１００）を組み立てるステップと、
共鳴装置（２００）を組み立てる組み立てステップであって、前記共鳴装置（２００）は、前記共鳴装置（２００）の内部容積において前記原子の共鳴周波数におけるマイクロ波フィールドを生成するようになっている、組み立てステップと、
前記真空セル（１００）を前記共鳴装置（２００）の内部に搭載する搭載ステップであって、前記真空セル（１００）は、複数の光ビームが前記原子を補足するために前記中空容積（１０８）に入射するように、前記共鳴装置（２００）の前記内部容積の内部に配置される、搭載ステップと、
を備える、周波数標準器の組み立て方法。
【請求項３】
請求項２の周波数標準器の組み立て方法において、
前記真空セル（１００）を組み立てるステップは、
中央シリンダ（１０４）を組み立てるステップであって、前記中央シリンダ（１０４）は、前記中空容積（１０８）を取り囲み、前記中央シリンダ（１０４）は、第１開口端部と、前記第１開口端部と反対側に位置する第２開口端部と、を有する、中央シリンダ（１０４）を組み立てるステップと、
第１端部（１０２）を組み立てるステップと、
第２端部（１０６）を組み立てるステップと、
前記第１端部（１０２）を前記第１開口端部へ結合し、前記第２端部（１０６）を前記第２開口端部へ結合するステップと、
を備え、前記原子は、前記中空容積（１０８）の内部に密封シールされる、
周波数標準器の組み立て方法。
【発明の詳細な説明】
【技術分野】
【０００１】
[0001]本出願は、２０１３年７月２２日に出願された米国仮特許出願６１／８５６，９１４の優先権の利益を主張するものであり、参照によって本出願に組み入れられる。
【背景技術】
【０００２】
[0002]本発明は、ＤＡＲＰＡによって認められたＷ３１Ｐ４Ｑ−０９−Ｃ−０３４８の政府支援によってなされた。政府は本発明の所定の権利を有する。
【０００３】
[0003]原子周波数標準器（原子クロック）は、安定した参照周波数を可能にする。原子クロックによってもたらされた安定性によって、原子クロックは、安定した参照周波数を必要とする複数の用途で用いられる。しかしながら、高性能の原子クロックは、従来、搭載場所が大きくなるか、又は、卓上用の機器であった。したがって、原子クロックの物理パッケージ及び検出要素のような冷却原子に用いられる他のセンサを小型化することによる原子クロックの小型化に努力がなされてきた。
【０００４】
[0004]物理パッケージは密封シールされなければならず、光の内部への導入を許容し、かつ、非磁気材料で構成されなければならないので、物理パッケージを小型化することは、独特であり複雑なチャレンジである。物理パッケージのある製造方法では、ガラス本体に、ミラーと窓を配置するための複数の穴、及び、光パスを捕捉し、冷却し、冷却原子サンプルを操作する、複数の傾斜した穴、が機械加工される。
【０００５】
[0005]一般的には、レーザ冷却された原子クロックは、１又は複数の導電性本体から生成された１又は複数のレーザ及び磁場から光ビームと原子を捕捉して操作することによって動作する。物理パッケージは、操作され測定される原子を保持する真空シールチャンバを規定する。物理パッケージ内の原子は、複数の光パスが異なる角度から原子に交差するように、容積内に捕捉される。大きな光ビームを許容し、複数の光ビーム構成の柔軟性を追加した、小容量の物理パッケージを開発することは、高性能の小型原子物理パッケージを開発するために重要である。
【発明の概要】
【０００６】
[0006]冷却原子周波数標準器のためのシステム及び方法が提供される。ある実施形態では、冷却原子マイクロ波周波数標準器は、真空セルを備え、前記真空セルは、中空の中央シリンダであって、第１開口端部と第２開口端部とを有する、中央シリンダと、前記第１開口端部に接続された第１端部と、前記第２開口端部に接続された第２端部と、を備え、前記第１端部、前記中央シリンダ、及び、前記第２端部は、原子を含む中空容積を取り囲み、前記第１端部及び前記第２端部は、光が前記中空容積に入ることを許容するようになっている。冷却原子マイクロ波周波数標準器は、前記中央シリンダを取り囲む円筒対称の共鳴装置を備え、前記共鳴装置は、前記中空容積の内部に前記原子の共鳴周波数のマイクロ波フィールドを生成する。
【０００７】
[0007]図面は、単に実施形態を説明するためだけに使用され、発明の範囲を制限するものではないと理解され、実施形態は図面を用いて詳細に説明される。
【図面の簡単な説明】
【０００８】
【図１】[0008]図１は、本開示の一実施形態における真空セルを複数視点から示す図である。
【図２】[0009]図２は、本開示の一実施形態における共鳴装置を複数視点から示す図である。
【図３】[0010]図３は、本開示の一実施形態における物理パッケージを複数視点から示す図である。
【図４】[0011]図４Ａ−４Ｃは、本開示の一実施形態における真空セルの組み立てをいくつかの視点から示す図である。
【図５】[0012]図５は、本開示の一実施形態における原子クロックのための搭載システムを示す図である。
【図６】[0013]図６は、本開示の一実施形態における原子クロックの組み立て方法を示すフローダイヤグラムである。
【０００９】
[0014]共通の慣習にしたがって、実施形態に関する様々な構成は、特徴構成を強調して描くために、実際の角度又はスケールでは描かれていない。
【発明を実施するための形態】
【００１０】
[0015]以下の詳細な説明では、本明細書の一部を形成する図面に参照符号が付され、特定の実施形態が図示されることにより説明が行われる。しかしながら、論理的な、機械的な、電気的な変更によって他の実施形態を実施することができることを理解すべきである。さらに、図面及び明細書に示される方法は、独立して実行されるステップの順序を制限するものと解釈すべきではない。したがって、以下の詳細な説明は、意味を限定して捉えるべきではない。
【００１１】
[0016]冷却原子周波数標準器（原子クロック）のためのシステム及び方法が提供される。以下に示すように、冷却原子の原子クロックは、原子を真空シールチャンバ内に捕捉し、原子の特性を計測することによって機能する。例えば、捕捉された原子の分光計測は、タイミングシステムの参照周波数として使用することができる。本開示に示すように、真空セルは、円筒対称の共鳴装置の内部に搭載され、真空セルは、レーザビームが真空セル内の特定の場所で原子を冷却／捕捉することを許容する。少なくとも１つの実施形態では、真空セルに向いている窓が、共鳴装置の内部に取り付けられる真空セル内部へのレーザビーム部の導入を許容する。さらに、共鳴装置は、真空セルを取り囲み、動作するときには、真空セルの中央を介して持続性マイクロ波フィールドを生成する。上述のとおり、システム及び方法は、冷却原子の原子クロックに適用される。上述及び以下の実施形態は、一般的には、冷却原子センサにも適用される。
【００１２】
[0017]図１は、真空セル１００の複数の視点から見た図である。ある実施形態では、真空セル１００は、中央シリンダ１０４と、第１端部１０２と、第２端部１０６と、を備える。中央シリンダ１０４は、中空で端部が開いたシリンダであり、容積１０８を取り囲む。少なくとも１つの実施形態では、中央シリンダ１０４は、高周波（ＲＦ）エネルギーの伝送を妨げない固い材料によって組み立てられる。例えば、中央シリンダ１０４は、ガラス、シリコン、セラミック、及び、その他の材料によって組み立てられる。
【００１３】
[0018]中央シリンダ１０４に対して、第１端部１０２及び第２端部１０６は、透明であり光を強く吸収せず第１端部１０２及び第２端部１０６を通すような材料によって組み立てられる。例えば、第１端部１０２及び第２端部１０６は、ガラス、又は、光の通過を許容する材料によって組み立てられる。少なくとも１つの実施形態では、光を通すことを許容する第１端部１０２及び第２端部１０６の一部分は、第１端部１０２及び第２端部１０６内の材料が第１端部１０２及び第２端部１０６を通過する光に影響を及ぼす可能性を低減するために、研磨される。少なくとも１つの実施形態では、第１端部１０２及び第２端部１０６の一方は、中央シリンダ１０４の一部分として組み立てられる。
【００１４】
[0019]ある実施形態では、第１端部１０２及び第２端部１０６は、中央シリンダ１０４、第１端部１０２、及び、第２端部１０６、の組み合わせが、真空セル１００の内部の収容容積１０８を完全に取り囲むように、中央シリンダ１０４の反対側の端部に結合される。さらに、第１端部１０２及び第２端部１０６が中央シリンダ１０４に結合されたときに、第１端部１０２及び第２端部１０６は、収容容積１０８が真空セル１００内部に密封シールされるように、中央シリンダ１０４に接着される。例えば、第１端部１０２及び第２端部１０６は、溶融法を用いて中央シリンダ１０４に結合される。一般的には、第１端部１０２及び第２端部１０６は、密封シールを形成して原子クロックの動作の間密封シールを維持することができる材料又は接着方法を用いて中央シリンダ１０４に結合される。少なくとも１つの実施形態では、真空セル１００に取り付けられたゲッタチューブ内にゲッタが形成される。ゲッタチューブは、組み立て後の真空を保つのを助ける。ゲッタチューブは、「原子センサのゲッタリングのためのシステム及び方法」というタイトルの米国特許出願１３／２３１，４３８（代理人番号Ｈ００３０９１３−５４７３）に開示されており、これを参照することによって本願に援用される。
【００１５】
[0020]ある実施形態では、真空セル１００が冷却原子センサの一部として機能したとき、収容容積１０８は、収容容積１０８の内部に導入されたレーザ光によって冷却された原子を含む。例えば、収容容積１０８は、原子が原子クロックとして機能することを許容するという特徴を有するルビジウム原子又は他の原子を含む。光を収容容積１０８に導入するために、光は、第１端部１０２、第２端部１０６、又は第１端部１０２及び第２端部１０６の両方、を介して導入される。ある実施形態では、光源は、光部分１１０において収容容積１０８に導入された光が相互の９０°の角度で交差するように、真空セルに関して配置される。収容セル１０８に導入された光は、バックグラウンドの蒸気又は温原子の他の源から原子を集め、そして、原子クロックの動作のために測定されるべき特性のサンプルを形成するために、集めた原子を冷却して圧縮する。少なくとも１つの実施形態では、光は、原子の特性が測定されている間の時間に消滅される。
【００１６】
[0021]図２は、共鳴装置（リゾネータ）２００を複数の視点から見た図である。共鳴装置２００は、共鳴空洞内の持続性マイクロ波フィールドを提供する。ある実施形態では、共鳴装置２００は、ループギャップ共鳴器である。共鳴装置２００がループギャップ共鳴器である場合、共鳴装置２００は、支持部２０４、電極２０８、遮蔽部２０６、及び、ギャップ２０２、を備える。例えば、共鳴装置２００がシリンダ状の遮蔽部２０６の内部に金属製の溝付ループを備えた場合に、ループは、ギャップ２０２によってループが分離された電極２０８によって形成され、ループは、電極２０８を遮蔽部２０６へ接続する支持部２０４によって支持される。共鳴装置２００の内部では、共鳴装置２００は、マイクロ波フィールドを生成することができる。さらに、共鳴装置２００の形状は、共鳴するマイクロ波フィールドの周波数を決定する。例えば、ギャップ２０２のサイズ、支持部２０４の長さ、遮蔽部２０６の周長、及び、電極２０８のサイズは、共鳴マイクロ波フィールドの周波数を決定する。
【００１７】
[0022]ある実施形態では、図３に示すように、真空セル１００は、物理パッケージ３００を形成するために、共鳴装置２００の内部に配置される。図３に示すように、共鳴装置２００は、端部開口の共鳴装置であり、共鳴装置２００は、真空セル１００の中央シリンダ１０４を取り囲む。共鳴装置２００は、真空セル１００内に、真空セル１００内部の原子を調べるマイクロ波フィールドを生成する。さらに、共鳴装置２００は、真空セル１００の内部の原子を捕捉するために、第１端部１０２及び第２端部１０６が複数のレーザに異なる角度でさらされることを許容する。さらに、物理パッケージは冷却原子センサとして実行されるので、共鳴装置２００は、一様なマイクロ波フィールド、共鳴装置の軸に沿った直線偏光、及び、共鳴装置２００の内部と真空セル１００の容積の全体にわたる同種の空間位相、を生成する。少なくとも１つの実施形態では、真空セルの内部の原子は、ルビジウム原子であり、共鳴装置２００は、真空セル１００内に６．８３５ＧＨｚのマイクロ波フィールを生成し、生成された周波数は、原子の基底状態の超微細遷移の共鳴周波数であり、マイクロ波クロックのクロック遷移として共通に使用される。
【００１８】
[0023]図４Ａ−４Ｃは、真空セル４００の複数の組み立て態様を示している。例えば、図４Ａは、真空セル４００の分解図を示している。真空セル４００は、図１の真空セル１００よりも小さい。真空セル４００は、図１の第１端部１０２、中央シリンダ１０４、及び、第２部分１０６と同様の、第１端部４０２、中央シリンダ４０４、及び、第２端部４０６を備える。図示されているように、第１端部４０２は、第１溶接シール４０３によって中央シリンダ４０４の側面に接続される。第２端部４０６は、同様に、第２溶接シール４０５によって中央シリンダ４０４の反対側の側面に接続される。作業の間、第１溶接シール４０３及び第２溶接シール４０５は、第１溶接シール４０３及び第２溶接シール４０５が溶けて第１端部４０２及び第２端部４０６が中央シリンダ４０４の反対側の側面に密封シールされるように、熱せられる。代替の実施形態では、第１端部４０２及び第２端部４０６は、陽極接合やその他の、溶接シール以外の方法で中央シリンダ４０４に接続される。
【００１９】
[0024]図４Ｂは、真空セル４００の真空チューブの取り付けを示している。ある実施形態では、真空セル４００は、第１真空チューブ４０８及び第２真空チューブ４１０を備える。第１真空チューブ４０８及び第２真空チューブ４１０は、真空セル４００から空気を排気し、真空セル４００の内部の真空を維持するのを助成する。さらに、第１真空チューブ４０８及び第２真空チューブ４１０の一方は、排気された真空セル４００の内部に原子源を導入するための補充チューブとして機能する。例えば、真空チューブが補充チューブとして機能したとき、真空チューブは、真空チューブの内部に原子源又はリザーバを含む。真空チューブを介した真空セルからの空気の排気は原子源を含まないので、補充チューブは、真空セルの内部に原子源を導入するために押しつぶされる。導入された原子源は、原子を解放し、解放された原子は、真空セル４００内で光ビームによって補足され操作される。少なくとも１つの実施形態では、第１真空チューブ４０８は、第１真空溶接シール４０１によって第１端部４０２に接続される。同様に、第２真空チューブ４１０は、第２真空溶接シール４０７によって第２端部４０６に接続される。図４Ｃは、真空セル４００の異なる部品が相互に接続されたときの真空セル４００を示している。図示のように、真空セル４００は、２つの真空チューブを接続するが、しかし、代替の実施形態では、真空セル４００は、より多数の真空チューブを接続する。真空チューブは、「真空チャンバへの反応性材料の導入方法」というタイトルの米国特許出願１２／２６３，１８６（代理人番号Ｈ００２０７１４−５４１２）に開示されており、これを参照することによって本願に援用される。
【００２０】
[0025]図５は、物理パッケージ３００を保持するのに用いられる構造５００の一実施形態を示している。例えば、構造５００は、真空接続５０６を有する固いフレーム５０２を備える。真空接続５０６は、真空セルの空気を吸い出すために、真空セル１００から遠ざかる方向に延伸する真空チューブに接続される。さらに、フレーム５０２は、物理パッケージ３００に供給される光及び信号を制御する機能性取り付け具５０４を備える。例えば、機能性取り付け具５０４は、レーザビーム、ビーム分波器、反射器、電気支持部、などを備える。例えば、機能性取り付け具５０４は、光ビームが物理パッケージ内で正しい角度で交差し、光ビームが交差した場所で原子を補足するように、（レーザなどの）光ビームを真空セル１００の内部へ向ける。また、機能性取り付け具５０４は、上述のように、物理パッケージ３００の内部に所望のマイクロ波フィールドを供給するために、共鳴装置２００を駆動する、結合ループ、及び、適切な同調要素、を備える。さらなる実施形態では、構造５００は、共鳴装置２００に対する真空セル１００の位置を固定する結合要素を備える。
【００２１】
[0026]図６は、少なくとも１つの実施形態において、物理パッケージを組み立てるための方法６００のフローダイヤグラムである。方法６００は、６０２へ進み、真空セルが組み立てられる。例えば、真空セルは、２つの独立した端部を形成し、２つの端部を中空の中央シリンダに結合することによって組み立てられ、中空の中央シリンダは、２つの開口端部をシリンダの反対側の側面に備え、２つの端部は溶接シールを用いて中央シリンダの開口端部に結合される。端部の中央シリンダへの結合は、真空セルの内部の収容容積を取り囲む。さらに、中央シリンダ及び端部が相互に結合されたときに、中央シリンダ及び端部は、不活性ガスの存在下にある。少なくとも１つの実施形態では、不活性ガスは、図４の真空接続５０６のようなチューブを介してセルに接続された真空ポンプによって吸い出される。原子は、セルに取り付けられたリザーバからセルの内部へ遊離する。少なくとも１つの実施形態では、真空接続は、真空セルが原子クロックとして使用されるときに、真空セルに取り付けられて残る。
【００２２】
[0027]方法６００は、６０４へ進み、共鳴装置が組み立てられる。共鳴装置は、マイクロ波エネルギーの源によって駆動されたときに、共鳴装置の内部容積の内部に持続性マイクロ波フィールドを確立する装置である。少なくとも１つの実施形態では、共鳴装置は、真空セルの内部に含まれる原子の種の内部エネルギーレベルの間における電磁繊維の共鳴周波数において一様なマイクロ波フィールドを提供するために同調されたループギャップ共鳴装置である。例えば、真空セルは、共鳴装置が中央シリンダを囲むように搭載され、光源は、真空セルの内部のレーザが交差する場所で真空セル内の原子を補足するためにレーザ光が真空セルの端部を通って入るように配置される。さらに、共鳴装置によって生成されたマイクロ波フィールドは、参照周波数を提供するときに用いられる測定値を提供するために捕捉された原子を調べることが可能である。
【００２３】
一例の実施形態
[0028]例１の冷却原子マイクロ波周波数標準器は、真空セルを備え、前記真空セルは、中空の中央シリンダであって、第１開口端部と第２開口端部とを有する中央シリンダと、前記第１開口端部に接続された第１端部と、前記第２開口端部に接続された第２端部と、を備え、前記第１端部、前記中央シリンダ、及び、前記第２端部は、原子を含む中空容積を取り囲み、前記第１端部及び前記第２端部は、光が前記中空容積に入ることを許容するようになっており、円筒対称の共鳴装置は、前記中央シリンダを取り囲み、前記共鳴装置は、前記中空容積の内部に前記原子の共鳴周波数のマイクロ波フィールドを生成する。
【００２４】
[0029]例２の冷却原子周波数標準器は、例１の冷却原子周波数標準器を備え、前記中央シリンダは、少なくとも円形、及び、多角形、の少なくとも一方の外周形状を有する。
【００２５】
[0030]例３の冷却原子周波数標準器は、例１又は２の冷却原子周波数標準器を備え、前記真空セルは、前記真空セルに密封結合された少なくとも１つの真空チューブを備え、前期少なくとも１つの真空チューブは、前記空気が前記少なくとも１つの真空チューブを介して前記真空セルから排気されるように、固形物を前記真空セルの内部に導入するか、又は、真空へ接続するか、の少なくとも１つを行うようになっている。
【００２６】
[0031]例４の冷却原子周波数標準器は、例１〜３のいずれか１つの冷却原子周波数標準器を備え、前記共鳴装置は、ループギャップ共鳴装置である。
【００２７】
[0032]例５の冷却原子周波数標準器は、例１〜４のいずれか１つの冷却原子周波数標準器を備え、前記中空容積の内部から気体を排気するようになっているゲッタをさらに備える。
【００２８】
[0033]例６の冷却原子周波数標準器は、例１〜５のいずれか１つの冷却原子周波数標準器を備え、前記共鳴装置及び真空セルは、フレームの内部に搭載され、前記フレームは、複数の光ビームを前記中空容積の内部へ導入するために、少なくとも１つの光源を備え、前記複数の光ビームは、前記原子を補足するために、前記中空容積の内部で交差する。
【００２９】
[0034]例７の冷却原子周波数標準器は、例１〜６のいずれか１つの冷却原子周波数標準器を備え、前記原子は、ルビジウム原子である。
【００３０】
[0035]例８の周波数標準器の組み立て方法は、原子を密封収容する中空容積を備える真空セルを組み立てるステップと、共鳴装置を組み立てる組み立てステップであって、前記共鳴装置は、前記共鳴装置の内部容積において前記原子の共鳴周波数におけるマイクロ波フィールドを生成する、組み立てステップと、前記真空セルを前記共鳴装置の内部に搭載する搭載ステップであって、前記真空セルは、複数の光ビームが前記原子を補足するために前記中空容積に入射するように、前記共鳴装置の前記内部容積の内部に配置される、搭載ステップと、を備える。
【００３１】
[0036]例９の方法は、例８の方法を備え、前記真空セルを組み立てるステップは、中央シリンダを組み立てるステップであって、前記中央シリンダは、前記中空容積を取り囲み、前記中央シリンダは、第１開口端部と、前記第１開口端部と反対側に位置する第２開口端部と、を有する、中央シリンダを組み立てるステップと、第１端部を組み立てるステップと、第２端部を組み立てるステップと、前記第１端部を前記第１開口端部へ結合し、前記第２端部を前記第２開口端部へ結合するステップと、を備え、前記原子は、前記中空容積の内部に密封シールされる。
【００３２】
[0037]例１０の方法は、例９の方法を備え、前記中央シリンダは、高周波エネルギーの伝送を妨げない材料によって組み立てられる。
【００３３】
[0038]例１１の方法は、例９又は例１０の方法を備え、前記第１端部、及び、前記第２端部、は、透明材料によって組み立てられる。
【００３４】
[0039]例１２の方法は、例９〜例１１のいずれか１つの方法を備え、前記真空セルにゲッタチューブを組み立てるステップと、前記ゲッタを活性化するステップと、をさらに備える。
【００３５】
[0040]例１３の方法は、例９〜例１２のいずれか１つの方法を備え、不活性ガスの存在下において、前記第１端部は、前記第１開口端部に密封結合され、前記第２端部は、前記第２開口端部に密封結合される。
【００３６】
[0041]例１４の方法は、例９〜例１３のいずれか１つの方法を備え、前記第１端部を前記第１開口端部に結合し、前記第２端部を前記第２開口端部に結合するステップは、前記第１端部を前記第１開口端部に陽極結合し、前記第２端部を前記第２開口端部に陽極結合する。
【００３７】
[0042]例１５の方法は、例８〜例１４のいずれか１つの方法を備え、前記共鳴装置は、ループギャップ共鳴装置である。
【００３８】
[0043]例１６の方法は、例８〜例１５のいずれか１つの方法を備え、前記中空容積の内部からガスを排気するステップをさらに備える。
【００３９】
[0044]例１７の方法は、例８〜例１６のいずれか１つの方法を備え、前記真空セルを前記共鳴装置の内部に搭載するステップは、前記真空セルを前記共鳴装置の内部に維持するフレームに、前記真空セル及び前記共鳴装置を搭載することを含む。
【００４０】
[0045]例１８の周波数標準器は、真空セルを備え、前記真空セルは、中空の中央シリンダであって、第１開口端部及び第２開口端部を有する、中央シリンダと、前記第１開口端部に接続された第１端部と、前記第２開口端部に接続された第２端部であって、前記第１端部、前記中央シリンダ、及び、前記第２端部、は、原子を含む中空容積を密封収容し、前記第１端部及び前記第２端部は、光が前記中空容積に入射することを許容する、第２端部と、共鳴装置であって、前記共鳴装置の内部容積の内部において前記原子の共鳴周波数において前記中空容積の内部にマイクロ波フィールドを生成するようになっている、共鳴装置と、前記中央シリンダが前記共鳴装置に取り囲まれるように、前記真空セルを前記共鳴装置の内部に固定するようになっているフレームと、前記フレームに搭載された少なくとも１つの光源と、を備え、前記光源は、前記原子を補足するために直交交差する複数の光ビームを前記中空容積の内部に導入する。
【００４１】
[0046]例１９の周波数標準器は、例１８の周波数標準器を備え、前記共鳴装置は、ループギャップ共鳴装置である。
【００４２】
[0047]例２０の周波数標準器は、例１８又は例１９の周波数標準器を備え、前記第１端部及び前記第２端部は、透明材料によって組み立てられる。
【００４３】
[0048]詳細な実施形態が図示され説明されたが、図示された実施形態は、当業者によって、同様の目的を達成するために、適宜変更又は代替することができる。したがって、本願発明の範囲は、特許請求の範囲及びこの均等の範囲によってのみ制限されることが意図されている。
【図１】
2015023572.tif 000003
【図２】
2015023572.tif 000004
【図３】
2015023572.tif 000005
【図４】
2015023572.tif 000006
【図５】
2015023572.tif 000007
【図６】
2015023572.tif 000008
【外国語明細書】
2015023572000001.pdf